(57)【要約】【課題】リレーやヒューズ等の電気部品のメンテナンス性や各ブロックの取り扱い性やブロック相互の電気的接続の信頼性を高める。【解決手段】電気部品２，３をそれぞれ有する上層のブロック４と下層のブロック５とをリンクアーム６で開閉自在に連結した積層式電気接続箱１を採用する。上層のブロック４を下層のブロックに対してリンクアームの一端部１５で回転自在に支持した。上層のブロック４と下層のブロック５とに、上層のブロックの開き方向以外の方向で係止手段２６，３６を設けた。リンクアーム６に沿って上層のブロック４と下層のブロック５とを接続する電線９を配索した。リンクアーム６を中空に形成し、リンクアーム内に電線９を配索した。リンクアーム６を回動角度規制手段１６，１８で回動角度規制した。上層のブロック４と下層のブロック５を上下のカバー７，８で覆った。【選択図】図１
2007318898.tif 000002
【特許請求の範囲】
【請求項１】
電気部品をそれぞれ有する上層のブロックと下層のブロックとをリンクアームで開閉自在に連結したことを特徴とする積層式電気接続箱。
【請求項２】
前記上層のブロックが前記下層のブロックに対して前記リンクアームの一端部で回転自在に支持されたことを特徴とする請求項１記載の積層式電気接続箱。
【請求項３】
前記上層のブロックと下層のブロックとに、該上層のブロックの開き方向以外の方向で係止手段が設けられたことを特徴とする請求項１又は２記載の積層式電気接続箱。
【請求項４】
前記リンクアームに沿って前記上層のブロックと下層のブロックとを接続する電線を配索したことを特徴とする請求項１〜３の何れかに記載の積層式電気接続箱。
【請求項５】
前記リンクアームが中空に形成され、該リンクアーム内に前記電線が配索されたことを特徴とする請求項４記載の積層式電気接続箱。
【請求項６】
前記リンクアームが回動角度規制手段で回動角度規制されたことを特徴とする請求項１〜５の何れかに記載の積層式電気接続箱。
【請求項７】
前記上層のブロックと下層のブロックが上下のカバーで覆われたことを特徴とする請求項１〜６の何れかに記載の積層式電気接続箱。
【発明の詳細な説明】
【技術分野】
【０００１】
本発明は、リレーやヒューズといった電気部品を配置した複数のブロックを高さ方向に積層して構成される積層式電気接続箱に関するものである。
【背景技術】
【０００２】
図８は、従来の積層式電気接続箱の一形態を示すものである（特許文献１参照）。
【０００３】
この積層式電気接続箱６１は、リレー６５やヒューズ６６を有する複数のブロック６２〜６４を高さ方向に積層すると同時に、各ブロック６２〜６４を相互に電気的接続させるものである。
【０００４】
各ブロック６２〜６４は係止突起６７と係止枠片６８の係合によって相互に固定される。各ブロック６２〜６４には相互接続用のコネクタ６９が設けられており、各ブロック６２〜６４を積層すると同時に、上層のブロック内の導電回路であるバスバー（図示せず）の中継端子が下層のブロックのコネクタ６９内の端子６９ａに嵌合接続される。
【０００５】
各ブロック６２〜６４が高さ方向に積層されるから、電気接続箱６１を自動車等の水平方向の狭いスペースに省スペースで搭載することができる。
【特許文献１】特開２００３−９３４７号公報（図１）
【発明の開示】
【発明が解決しようとする課題】
【０００６】
しかしながら、上記従来の積層式電気接続箱６１にあっては、各ブロック６２〜６４を積層した際に、下層のブロックの端子６９ａと上層のブロックの中継端子（図示せず）との位置がずれている場合に、両端子の嵌合接続がうまく行われないという懸念があった。また、下層のブロックのヒューズ６６やリレー６５を交換や確認する際に、上層のブロックを外して作業台等の上に置き、ヒューズ交換等を終えて下層のブロックに組み付けるといった面倒な作業を必要とし、上層のブロックを外した際に落下破損させたり、再組付時の方向を間違えたりするという懸念があった。また、ヒューズ交換等の度に端子６９ａと中継端子を嵌合接続させるために、ブロック相互の再組付が面倒で、端子６９ａや中継端子が繰り返しの嵌合離脱によって摩耗しやすいという懸念があった。
【０００７】
本発明は、上記した点に鑑み、リレーやヒューズ等の電気部品のメンテナンス性や、各ブロックの取り扱い性や、ブロック相互の電気的接続の信頼性を高めることができる積層式電気接続箱を提供することを目的とする。
【課題を解決するための手段】
【０００８】
上記目的を達成するために、本発明の請求項１に係る積層式電気接続箱は、電気部品をそれぞれ有する上層のブロックと下層のブロックとをリンクアームで開閉自在に連結したことを特徴とする。
【０００９】
上記構成により、下層のブロック内の電気部品の交換や確認といったメンテナンスを行う際に、上層のブロックをリンクアームの支持のもとで回動させて下層のブロックから開き方向に離間（平行移動）させることで、下層のブロック内の電気部品が露呈され、電気部品のメンテナンスが容易に行われる。また、上層のブロックがリンクアームで下層のブロックに常時連結されているから、メンテナンス後に上層のブロックを閉じ方向に回動させて、位置ずれなく容易に下層のブロックに重ね合わせる（積層する）ことができる。電気部品はリレーやヒューズ又は電子部品等であってもよい。リンクアームは板状や断面円弧状や断面中空状等のものを使用可能である。上層と下層のブロックは二層に限らず、三層ないしそれ以上とすることも可能であり、各ブロックはリンクアームで連結される。
【００１０】
請求項２に係る積層式電気接続箱は、請求項１記載の積層式電気接続箱において、前記上層のブロックが前記下層のブロックに対して前記リンクアームの一端部で回転自在に支持されたことを特徴とする。
【００１１】
上記構成により、下層のブロックが車両ボディ等（取付側）に固定された状態で、例えば上層のブロックの開き方向に他の部品等が配置されている場合に、上層のブロックを下層のブロックに対して完全な平行移動ではなくある程度平行移動したら回転させて、他の部品と干渉しないように開くことができ、この状態で下層のブロックの電気部品のメンテナンスを行う。
【００１２】
請求項３に係る積層式電気接続箱は、請求項１又は２記載の積層式電気接続箱において、前記上層のブロックと下層のブロックとに、該上層のブロックの開き方向以外の方向で係止手段が設けられたことを特徴とする。
【００１３】
上記構成により、上層のブロックを係止手段と干渉することなく下層のブロックに対してスムーズに開閉することができる。上層のブロックを閉じると同時に係止手段が相互に係合する。係止手段は例えば上層のブロックの係合枠片と下層のブロックの係止アームとで構成される。係止手段の位置は上層のブロックの開き方向に対して１８０゜方向又は９０゜方向に配置される。
【００１４】
請求項４に係る積層式電気接続箱は、請求項１〜３の何れかに記載の積層式電気接続箱において、前記リンクアームに沿って前記上層のブロックと下層のブロックとを接続する電線を配索したことを特徴とする。
【００１５】
上記構成により、電線を介して上層と下層の両ブロックが相互に電気的に接続される。例えば電線は両ブロックの各電気部品を相互に接続する。電気部品以外に回路や回路基板を電線で接続することも可能である。電線は可撓性であるから、ブロックの開閉時に屈曲してリンクアームの回動（揺動）をスムーズに吸収する。
【００１６】
請求項５に係る積層式電気接続箱は、請求項４記載の積層式電気接続箱において、前記リンクアームが中空に形成され、該リンクアーム内に前記電線が配索されたことを特徴とする。
【００１７】
上記構成により、電線が中空のリンクアーム内で外部との干渉や塵や水滴等から安全に保護される。また、上層のブロックの開閉時に電線がリンクアームの空間内で自由に伸縮・屈曲することで、リンクアームの回動がスムーズに吸収される。
【００１８】
請求項６に係る積層式電気接続箱は、請求項１〜５の何れかに記載の積層式電気接続箱において、前記リンクアームが回動角度規制手段で回動角度規制されたことを特徴とする。
【００１９】
上記構成により、上層のブロックを下層のブロックに対して必要最小限の角度で開くように設定することで、上層のブロックの開閉操作が効率的に行われる。また、請求項２で上層のブロックを回転させた際に、回動角度規制手段で回転角度が規制され、必要以上の回転が阻止される。
【００２０】
請求項７に係る積層式電気接続箱は、請求項１〜６の何れかに記載の積層式電気接続箱において、前記上層のブロックと下層のブロックが上下のカバーで覆われたことを特徴とする。
【００２１】
上記構成により、上層のブロックの上部開口が上カバーで覆われ、下層のブロックの下部開口が下カバーで覆われ、上層のブロックの下部開口と下層のブロックの上部開口とは上下のブロックの積層で相互に覆われて、両ブロック内の電気部品や電線や他の回路等が確実に防塵防水される。
【発明の効果】
【００２２】
請求項１記載の発明によれば、下層のブロックの電気部品のメンテナンスに際して上層のブロックをリンクアームの回動で容易に移動することができ、且つ上層のブロックを落としたり、他の場所に置いたりすることがないから、メンテナンス後の上層のブロックを下層のブロックに再度組み付ける作業を方向違い等なく簡単且つ確実に行うことができる。
【００２３】
請求項２記載の発明によれば、上層のブロックを回転させることで、上層のブロックの開き方向の他の部品等との干渉を防止しつつ上層のブロックを開いて、固定式の下層のブロックの電気部品のメンテナンスを確実に行うことができる。
【００２４】
請求項３記載の発明によれば、上層のブロックを係止手段との干渉なくスムーズに開閉することができる。
【００２５】
請求項４記載の発明によれば、上下のブロックを電線で常時接続しているから、従来のコネクタを用いた上下のブロックの接続のような、コネクタ端子相互の位置ずれや嵌合不良等を起こす心配がなく、両ブロック間の電気的接続の信頼性が向上する。また、上層のブロックの開閉に伴って電線がスムーズに屈曲するから、電線が傷む心配がなく、これによっても両ブロック間の電気的接続の信頼性が向上する。
【００２６】
請求項５記載の発明によれば、電線がリンクアーム内で外部から絶縁・保護されるから、ブロック間の電気的接続の信頼性が一層向上する。
【００２７】
請求項６記載の発明によれば、上層のブロックの回動時（平行移動時）や回転時の角度を適切に規定することで、上層のブロックの開き過ぎを防止して、開閉操作を効率良く行うことができる。
【００２８】
請求項７記載の発明によれば、上下のカバーで上下のブロック内の電気部品等が防塵防水されるから、電気接続箱を塵や水滴のかかる場所にも搭載することができる。
【発明を実施するための最良の形態】
【００２９】
図１は、本発明に係る積層式電気接続箱の一実施形態を示すものである。
【００３０】
この積層式電気接続箱１は、リレー（電気部品）２を収容する上層（上段）のブロック４と、リレー（電気部品）３を収容する下層（下段）のブロック５と、両ブロック４，５を回動自在に連結する左右一対の略筒状のリンクアーム６と、リンクアーム内に挿通されて上下のブロック４，５を相互に接続する絶縁被覆電線９（図４）と、上層のブロック４の上部に被着される防水用の上カバー７と、下層のブロック５の下部に被着される防水用の下カバー８とで構成されるものである。
【００３１】
上層のブロック４は、合成樹脂製のブロック本体１０の上半側に、小さなリレー２を収容する矩形状の収容室１１を複数列に有し、各収容室１１は前後左右の垂直な隔壁１２で画成され、隔壁１２の上端はブロック本体１０の上端と一致している。ブロック４はブロック本体１０にリレー２や回路９等を含んで構成される。
【００３２】
ブロック本体１０の下半側には、例えば各リレー２の端子２ａに接続する回路である端子付きの電線（図示せず）が収容され、そのうちの一部の電線９（図４）がブロック本体１０の両側壁１３の孔部１４から筒状の各リンクアーム６を経て下層のブロック５内のリレー３等に接続される。ブロック本体１０は樹脂成形上、上下に貫通したものであることが好ましい。回路として導電金属製のバスバーを用いたり電線と混在させたりすることも可能である。
【００３３】
図２にも示す如く（図１とは前後逆に図示している）、上層のブロック４の両側壁１３の中央寄り（中央よりもやや前側）に円形の孔部１４が設けられ、孔部１４に各リンクアーム６の水平な上端部（一端部）１５が回動自在に嵌合される。孔部１４の周囲（下側前半位置）に、回動角度規制用の円弧状の溝部１６がループ突条１７の内側に略９０゜の範囲で形成され、リンクアーム６の上端部１５に交差して続く側部に、溝部１６に係合する短円柱状の突起１８が設けられている。
【００３４】
上層のブロック４の両側壁１３の下部後端寄りには、電線挿通用の断面半円状の開口と溝部をなす半環状部１９が突設され、半環状部１９は先端に電線２０をテープ巻き等で固定する鍔部１９ａを有している。
【００３５】
上層のブロック４の後側の壁部２２の上半には、上カバー７に対するロック用の係止枠部２３が設けられ、前側の壁部２４の上部には、上カバー７に対する係合支持用の突起２５（図２）が設けられ、後側の壁部２２の下半には、下層のブロック５に対するロック用の係止枠部（係止手段）２６が設けられている。前側の突起２５を係止枠部２３に代えることも可能である。
【００３６】
なお、明細書中で上下前後左右の方向は説明の便宜上のものであり、必ずしも電気接続箱１の取付方向と一致するものではない。例えば、上下のブロック４，５を９０゜反転させて前後のブロック４，５として配置することも可能である。
【００３７】
一対のリンクアーム６は対称に形成配置され、各リンクアーム６は、水平な上端部（一端部）１５と下端部（他端部）２７（図２）と、両端部１５，２７の間で略くの字状に屈曲した主体部２８とで屈曲筒状（パイプ状）に形成され、主体部２８の上部内側に前記突起１８を有している。
【００３８】
各リンクアーム６の上端部１５と下端部２７とは、上下の各ブロック本体１０，２９（図１）の孔部１４，３０に挿入嵌合される可撓性の短い筒部１５ａ，２７ａ（図２）と、筒部１５ａ，２７ａの先端側の外向きに突出した抜け止め用の爪部（図示せず）とを有したり、あるいは筒部１５ａ，２７ａの先端に抜け止め用のＣリング等を嵌合する周溝（図示せず）を有することが好ましい。
【００３９】
図１の如く、下層のブロック５は、合成樹脂製のブロック本体２９の上半側に、大きなリレー３を収容する矩形状の収容室３２を複数列に有し、各収容室３２は前後左右の垂直な隔壁３３で画成されている。ブロック本体２９の下半側には、例えば各リレー３の端子３ａに接続する回路である端子付きの電線（図示せず）が収容され、そのうちの一部の電線９（図４）がブロック本体２９の側壁３４の孔部３０から筒状のリンクアーム６を経て上層のブロック４内に導入される。
【００４０】
電線９は例えば上下の各ブロック４，５のリレー２，３の端子２ａ，３ａに中継端子又はバスバー端子等（図示せず）を介して接続され、各リレー２，３の励磁回路に電源を供給したり、共通アースを行わせたりする。中継端子等を用いずに電線９をハンダ付け等でリレー２，３の端子２ａ，３ａに直接接続することも可能である。ブロック本体２９は樹脂成形上、上下に貫通したものであることが好ましい。
【００４１】
下層のブロック５の両側壁３４の前端寄りに円形の孔部３０が設けられ、各孔部３０に各リンクアーム６の水平な下端部２７が回動自在に嵌合される。下層のブロック５の両側壁３４の上部後端寄りには、電線挿通用の断面半円状の開口１９ｂと溝部１９ｃをなす半環状部１９が突設され、半環状部１９は先端に電線２０（図３）をテープ巻き等で固定する鍔部１９ａを有している。上下の各半環状部１９は接合して略断面円形の電線挿通孔（符号１９ｃで代用）を構成する。電線挿通孔１９ｃからは例えば上下の各リレー２，３の負荷側の端子に続く電線２０（図３）が外部に導出される。
【００４２】
図１の如く、下層のブロック５の後側の壁部３５の上部には、上層のブロック４の係止枠部２６に対するロック用の可撓性の係止アーム（係止手段）３６が設けられ、前後の壁部３５，４０の下部に、下カバー８に対するロック用の係止枠部３７が設けられている。係止アーム３６は内向きに撓みつつ上層のブロック４の係止枠部２３内に進入し、外向きに弾性復帰して先端外側の爪部３６ａを係止枠部２６の連結壁２６ａに係合させる。この作用はカバー７，８の係止アーム３８，３９においても同様である。下層のブロック５の前側の壁部４０に係止アーム３６を上向きに突設しないのは、後述のように下層のブロック５に対して上層のブロック４を前方向に回動させる際に干渉させないためである。
【００４３】
上カバー７は合成樹脂で形成され、矩形状の天壁４１と周壁とを有し、周壁の後側の壁部４２に、上層のブロック４の上側の係止枠部２３に係合する可撓性の係止アーム３８を有し、前側の壁部４３（図３）に、上層のブロック４の突起２５（図２）に回動自在に係合する枠片４４（図３）を有している。枠片４４に代えて係止アーム３８を形成し、突起２５に代えて係止枠部２３を形成することも可能である。
【００４４】
下カバー８は合成樹脂で形成され、矩形状の底壁４５と周壁とを有し、周壁の前後の壁部４６に、下層のブロック５の下側の係止枠部に３７係合する可撓性の係止アーム３９を有し、両側壁に車両組付用のブラケット４７を有している。
【００４５】
図３は、上下のブロック４，５を積層して左右のリンクアーム６で連結した状態を示すものである。
【００４６】
各リンクアーム６の水平な下端部２７が回転軸として作用し、リンクアーム６の回動に伴って下端部２７が矢印Ａの如く周方向に回動し、上層のブロック４が下層のブロック５に対して前後に回動（揺動）する。上下のカバー７，８は上下のブロック４，５に被着されて、各ブロック内のリレー２，３や電線９，２０等の回路を外部の水滴や塵等の侵入から安全に保護しつつ絶縁する。
【００４７】
上カバー７は上層のブロック４の前側の突起２５（図２）を支点に前向き（下層のブロック５に対する上層のブロック４の開き方向）に回動して開き、後向き（下層のブロック５に対する上層のブロック４の閉じ方向）に回動して閉じる。
【００４８】
図４（ａ）（ｂ）は、上下のブロック４，５を積層（全閉）した状態の平面図（図３とは前後を逆に図示している）と側面図を示すものである。以下の説明では上下のカバー７，８の図示を省略する。
【００４９】
図４（ａ）の如く、リンクアーム６の上端部１５から電線９の一方の部分９ａが湾曲しつつ上層のブロック４内に導入され、リンクアーム６の下端部２７から電線９の他方の部分９ｂが湾曲しつつ下層のブロック５内に導入されて、両ブロック４，５内の各リレー２，３が電線９で相互に接続されている。各ブロック内で各リレー２，３は他の電線又はバスバー等の回路で接続されている。
【００５０】
図４（ｂ）の如く、リンクアーム内の電線９はリンクアーム６に沿って湾曲状に屈曲している。リンクアーム６は下層のブロック５の前端側から上層のブロック４の中央よりも後部寄りにかけて略逆くの字状に屈曲し、リンクアーム６の下半部は下層のブロック５の側壁３４に沿って傾斜状に位置し（傾斜部を符号２８ｂで示す）、リンクアーム６の上半部は上層のブロック４の側壁１３に沿って水平に位置している（水平部を符号２８ａで示す）。
【００５１】
リンクアーム６の上部側の突起１８（図２）は上層のブロック４の角度規制用の円弧状の溝部１６の上端に位置している。上層のブロック４の周壁の下端面４８は下層のブロック５の周壁の上端面４９に密着し、各ブロック４，５は係止アーム３６と係止枠部２６との係合でロックされている。
【００５２】
図５（ａ）（ｂ）は、上下のブロック４，５の係止を解除し、上層のブロック４をリンクアーム６の支持のもとで下層のブロック５に対して斜め上側前方に半開きに回動させた状態を示している。
【００５３】
リンクアーム６は下層のブロック５の孔部１４を支点に回動し、電線９はリンクアーム６と共に湾曲状態を維持しつつスムーズに回動する。上層のブロック４は前方に移動しつつ下層のブロック５から上方に離間する。リンクアーム６の位置規制用の突起１８は溝部１６の中央付近に位置する。
【００５４】
図６（ａ）（ｂ）は、図５の状態からさらに上層のブロック４を前方に回動（平行移動）させて全開にした状態を示すものである。
【００５５】
上層のブロック４の後壁２２の係止枠部２６の下端面が下層のブロック５の前壁４０の上端面で支持され、下層のブロック５の内側の収容室３２が全て露呈され、収容室内のリレー３を容易に交換又は確認することができる。上層のブロック４のリレー２のメンテナンスは上カバー７（図１）を外すことで行うことができる。上層のブロック４の移動に伴ってリンクアーム６の突起１８は溝部１６内をスムーズに摺接して溝部１６の下端に位置する。
【００５６】
上層のブロック４がリンクアーム６で下層のブロック５と連結されているから、リレー等のメンテナンス後に上層のブロック４を容易に且つ確実に下層のブロック５に合体させることができる。係止アーム３６と係止枠部２６との係合動作は、下層のブロック上で上層のブロック４の後壁２２を斜めに上げた状態で前壁２４を支点に後壁２２を下向きに回動させることでスムーズに行われる。上下のブロック４，５が高さ方向に合体することで、電気接続箱１の前後左右方向の省スペース化がなされることは勿論である。
【００５７】
電線９はリンクアーム６に沿ってスムーズに屈曲しつつ、リンクアーム６の上下端部１５，２７から折れ曲がり等なく各ブロック内にスムーズに導入されている。リンクアーム６の回動に伴って、リンクアーム６の上端部１５と下端部２７とで電線９の一方の部分９ａと他方の部分９ｂとが周方向に捩られて、リンクアーム６の回動がスムーズに吸収される。このように、電線９が折れ曲がり等なくスムーズに捩り及び屈曲するから、電線９の傷みが防止され、リレー接続の信頼性が高まる。
【００５８】
図７（ａ）（ｂ）は、上層のブロック４を全開にする際に、前方に他部品５０が配置されている等の場合に、図５の半開状態から上層のブロック４を平行移動ではなくリンクアーム６の上端部１５を支点に矢印Ｂの如く時計回りに回転させつつ開いた状態を示している。リンクアーム６の位置規制用の突起１８は溝部１６の上端に位置している。この状態からリンクアーム６を上層のブロック４と一体にさらに時計回りに回動させることで、下層のブロック５の上部開口が全開となる。図７（ａ）（ｂ）において、電線導出用の半環状部１９を廃除し、且つ回動角度規制用の溝部を延長すれば、図５の半開状態から上層のブロック４をリンクアーム６の上端部１５を支点に矢印Ｂとは反対方向（半時計回り）に回転させつつ全開にすることが可能である。
【００５９】
これらの状態で下層のブロック５内のリレー３が完全に露呈されるから、メンテナンスを容易に行うことができ、メンテナンス後は上層のブロック４をリンクアーム６の支持のもとで時計回りに回転させつつ後方に移動させることで、図５の半開状態を経て、図４の全閉状態を簡単且つ確実に得ることができる。図７の状態においても電線９はリンクアーム６の前後端から折れ曲がり等なくスムーズに各ブロック内に延びているから、電線９にかかる負荷（応力）が小さく抑えられる。
【００６０】
なお、上記実施形態においては、防水防塵用に上下のカバー７，８を用いたが、防水防塵の必要のない場所に搭載する場合は、上下のカバー７，８を廃除することも可能である。この場合、上下のブロック４，５で積層式電気接続箱が構成される。
【００６１】
また、上記実施形態においては、電気部品としてリレー２，３を用いたが、リレー２，３に代えて電気部品としてヒューズやヒュージブルリンク等（図示せず）を用いることも可能である。電気部品とは電子部品をも含むものとする（電子部品であってもよい）。
【００６２】
また、上記実施形態においては、断面円筒形のリンクアーム６を用いたが、リンクアーム６の形状はこれに限らず、断面矩形筒状や断面三角形筒状等であってもよく、また、これら筒状（中空）のリンクアーム６に代えて板状や断面円弧状等のリンクアーム（図示せず）を用い、リンクアームの内側面に沿って電線９を配索することも可能である（この場合、電線９はリンクアームに緩く移動自在に固定することが好ましい）。また、リンクアーム６を略くの字状に屈曲させるのではなく、長手方向に真直ないしほぼ真直に形成することも可能である。
【００６３】
また、上記実施形態においては、上下のブロック４，５の係止（ロック）手段として係止アーム３６と係止枠部２６とを用いたが、これらに代えて係止アームと係止凹部等（図示せず）を用いたり、これら係止手段の位置を前壁又は後壁２２，３５ではなく左右の側壁１３，３４に配置することも可能である。
【００６４】
また、上記実施形態においては、リンクアーム６に沿う電線９で上下のブロック４，５を接続したが、例えば、電線９に代えて上下のブロック４，５をコネクタ（図示せず）で接続することも可能である。この場合、電線９の途中に雄雌のコネクタを設けてもよく、あるいは上層のブロック４の底部と下層のブロック５の上部に雄雌のコネクタを設けてもよい。また、電線９をリンクアーム６に沿わせずに、上層のブロック４の底部から下層のブロック５の上部に貫通して配索することも可能である。
【００６５】
また、上記実施形態においては、リンクアーム６の回動角度規制手段１６，１８を上層のブロック側に配置したが、上層のブロック側に代えて下層のブロック側や両ブロック側に配置することも可能である。また、回動角度規制手段として突起１８と溝部１６以外に突起等の当接部と受け壁等の被当接部（図示せず）を設けることも可能である。
【００６６】
また、上記実施形態においては、上下二層にブロック４，５を配置したが、例えば上中下三層にブロックを配置し、上層と中層のブロックは前記上層と下層のブロック４，５を用い、新たな下層のブロック（図示せず）を前記同様なリンクアーム６で中層のブロック５に回動自在に連結することも可能である。この構造は三層以上の場合にも適用可能である。
【図面の簡単な説明】
【００６７】
【図１】本発明に係る積層式電気接続箱の一実施形態を示す分解斜視図である。
【図２】同じく積層式電気接続箱の一要部を示す分解斜視図である。
【図３】同じく積層式電気接続箱の組立途中の状態を示す分解斜視図である。
【図４】（ａ）は積層式電気接続箱の上下のブロックの組立状態を示す平面図、（ｂ）は同じく側面図である。
【図５】（ａ）は上層のブロックの半開状態を示す平面図、（ｂ）は同じく側面図である。
【図６】（ａ）は上層のブロックの全開状態を示す平面図、（ｂ）は同じく側面図である。
【図７】（ａ）は上層のブロックを斜め方向に全開にした状態を示す平面図、（ｂ）は同じく側面図である。
【図８】従来の積層式電気接続箱の一形態を示す分解斜視図である。
【符号の説明】
【００６８】
１      積層式電気接続箱
２，３  リレー（電気部品）
４      上層のブロック
５      下層のブロック
６      リンクアーム
７      上カバー
８      下カバー
９      電線
１６    溝部（回動角度規制手段）
１８    突起（回動角度規制手段）
２６    係止枠部（係止手段）
３６    係止アーム（係止手段）
【図１】
2007318898.tif 000003
【図２】
2007318898.tif 000004
【図３】
2007318898.tif 000005
【図４】
2007318898.tif 000006
【図５】
2007318898.tif 000007
【図６】
2007318898.tif 000008
【図７】
2007318898.tif 000009
【図８】
2007318898.tif 000010